(57)【要約】      （修正有）【課題】家具類の壁面への固定性に優れ、家具が倒れるほどの震度にも耐える強度を保ち、取り付け時に壁と家具の隙間の位置調整もできてインテリア性を損なわない家具転倒防止金具を提供する。【解決手段】壁面に沿って置かれた家具の壁面側上端部に家具の幅に合った、両端を上部から木ネジ１０で家具に固定され、上部に開口溝４ａを有したレール４とレール４両端部を木ネジ１０とレール４の開口溝４ａを介してボルト６、ワッシャー１１、ナット７で家具２に締結された取り付け金具５を有し、壁面の間柱に木ネジ１０で取り付けられた取り付け金具５が水平方向に伸びた長孔５ｄを有する板状部材５ｃが前述のレール４と長孔５ｄを介してボルト６、ワッシャー１１、ナット７で結合させ固定する。【選択図】図１
0003183317.tif 000002
【実用新案登録請求の範囲】
【請求項１】
室内の壁面に沿って配設された家具と、当該家具の上面後方部分の家具芯材に固着され上面に開口溝を有する略Ｃ形のレールと、室内の間柱に両端片がねじ止め固定されるとともに中間部分から長孔を有する取付片を延出させた略Ｔ形の取付金具と、前記取付片をレールの開口溝の上面に位置させボルトとナットにより取付片をレールの所定位置に固定させたことを特徴とする家具用転倒防止装置。
【請求項２】
前記レールの両端部に略Ｌ形をした端面目隠し用の終端片を設けた請求項１記載の家具用転倒防止装置。
【考案の詳細な説明】
【技術分野】
【０００１】  本考案は、地震等による家具の転倒防止を目的とした家具用の転倒防止装置に関するものである。
【背景技術】
【０００２】  昨今、阪神大震災や東日本大震災など、大型地震によって甚大な被害が発生しているが、なかでも住居内における大型家具等の転倒により、被害が大きくなってきている。このような家具転倒を防ぐものとしては、下記の文献に記載されたようなスライドレールを用いたものがある。このものは、家具の固定を行う固定片をスライドレールの任意の所要位置に配置することができ、転倒防止器具を比較的自由な位置に配置することができるといった利点をもっているが、壁と家具に取り付ける取付片の被固定部分（壁面や家具の上面等）の強度が充分とは云えないため、前述した巨大な地震などにより過大な振動衝撃が家具に加わると取付装置自体が壁面や家具から外れてしまうことがあり、家具の転倒防止が図れないという問題があった。
また、和室のように壁面と家具との間に巾木があったり、家具自体の底部に壁側への突出部が設けられたタイプの底部幅広タイプの家具などの場合には、家具が壁面から離れて設置されるが、この従来例の構造では、この場合の配慮対応がされていないため、取付装置をうまく設置できないことなどがあり、室内における家具の配置位置に制約がある問題があった。
【先行技術文献】
【特許文献】
【特許文献】  特開平０９−１００５５号公報
【０００３】
【考案の概要】
【考案が解決しようとする課題】
【０００４】  本考案の目的は、前記問題点に着目し室内等への家具取付強度が極めて高く、かつ室内の壁面から取付位置を可変できる家具転倒防止装置を提供することにある。
【課題を解決するための手段】
【０００５】  室内の壁面１に沿って配設された家具２と、底面を当該家具２の上面後方部分の家具芯材３に固着するとともに上面に開口溝４ａを有する略Ｃ形のレール４と、両端片５ａ，５ｂが室内の間柱にねじ止め固定されるとともに中間部分から長孔５ｄを有する取付片５ｃを延出させた略Ｔ形の取付金具５と、前記取付片５ｃをレール開口溝４ａの上面に位置させてボルト６とナット７により当該取付片５ｃをレール４の所定位置に固定させることにより、まず家具２に固定されるレール４が強度の高い家具芯材３に対し強固に固着され、かつレール４と取付金具５間がボルト６とナット７とにより確実に取着され、しかも当該取付金具５は、強度の高い壁内面の間柱１ａにしっかり強固にネジ１０止めされるため、それぞれレール４および取付金具５の取付相手側がネジ１０止めする場合にネジ１０の先端までしっかり固着することができ、家具２を確実で強固な形で壁面１に固着することができて巨大な震災にも家具２の転倒を防止することができるものである。
また、略Ｔ形の取付金具５の中間部分から延びる取付片５ｃに設けた長孔５ｄより、レール４に取着する前記取付片５ｃのボルト６止め位置により、家具２の壁面１からの配設位置を所定範囲で可変させることができ、和室等の壁面１から突出した巾木１４が設けられているときや、家具２によって底面に幅広突出部１５が設けられていたとしても、この長孔５ｄ寸法によってボルト６とナット７による取付片５ｃの家具２取付位置を可変させることができるため、殆どの部屋や家具２の形種類に自在に対応することができ、当該家具用転倒防止装置の使い勝手を高めることができる。
さらに、前記レール４の両端部に略Ｌ形をした端面目隠し用の終端片９を設けることにより、レール端部の美観向上を図ることができるものである。又この終端片９を設けることによりレール４を家具２に上面方向からのネジ１０止めのみでなく略Ｌ形をした終端片９の上面及び側面から家具２にネジ１０止めさせ、さらに前述のボルト６とナット７により締結させる事によりさらに強固にレールを家具２に固着させる事が出来る。
また、取付片５の長孔５ｄからドライバー等を差し込んで取付片５の下部の端片５ｂのネジ止めが簡単にできる。
【考案の効果】
【０００６】  本考案の家具用転倒防止装置は、家具２に固定されるレール４が家具２の強度の高い芯材１ａに強固に固着され、かつレール４と取付金具５はボルト６とナット７により容易で確実に取着され、しかも当該取付金具５は、強度の高い壁内面の間柱１ａにまでしっかり強固にネジ１０止めされるため、それぞれレール４および取付金具５の取付相手側がネジ１０止めする場合にネジ１０の先端までしっかり強固に固着することができるため、家具２を確実で強固な形で壁面１に固着することができ巨大な震災にも家具２の転倒を防止することができる。
また、略Ｔ形の取付金具５の中間部分から延びる取付片５ｃに設けた長孔５ｄより、レール４に取着する前記取付片５ｃの取付位置により、家具２の壁面１からの配設位置を可変させることができ、和室等の壁面１から突出した巾木１４が設けられているときや、家具２によって底面に幅広突出部１５が設けられていたとしても、この長孔５ｄによって取付片５ｃの家具取付位置を可変させることができるため、殆どの部屋や家具２の形種類に自在に対応することができ、当該家具用転倒防止装置の使い勝手を高めることができる。
さらに、前記レールの両端部に略Ｌ形をした端面目隠し用の終端片９を設けることにより、レール端部の美観向上を図ることができるものである。又この終端片９を設けることによりレール４を家具２に上面方向からのネジ１０止めのみでなく略Ｌ形をした終端片９の上面及び側面から家具２にネジ１０止めさせ、さらに前述のボルト６とナット７により締結させる事によりさらに強固にレール４を家具２に固着させる事が出来る。
【図面の簡単な説明】
【０００７】
【図１】本考案の一実施例の要部斜視図、
【図２（ａ）】本考案の一実施例の家具に取り付けた平面図、
【図２（ｂ）】本考案の一実施例の家具に取り付けた斜視図、
【図３】本考案の一実施例の家具に取り付けた側面図、
【図４】本考案の一実施例のフローリングの家具に取り付けた斜視図、
【図５】本考案の一実施例の和室の家具に取り付けた斜視図
【実施例】
【０００８】  室内の壁面１に沿って配設された家具２と、底面を当該家具２の上面後方部分の家具芯材３に固着するとともに上面に開口溝４ａを有する略Ｃ形の鉄またはステンレスからなるレール４と、両端片が室内の間柱１ａにねじ１０止め固定されるとともに中間部分から長孔５ｄを有する取付片５ｃを延出させた略Ｔ形の鉄またはステンレスからなる取付金具５と、前記取付片５ｃをレール開口溝４ａの上面に位置させてボルト６とナット７により当該取付片５ｃをレール４の所定位置に固定させることにより、まず家具２に固定されるレール４が強度の高い家具芯材３に対し強固に固着され、かつレール４と取付金具５間がボルト６とナット７とにより確実に取着され、しかも当該取付金具５は、強度の高い壁内面の間柱１ａにしっかり強固にネジ１０止めされるため、それぞれレール４および取付金具５の取付相手側がネジ１０止めする場合にネジ１０の先端までしっかり固着することができ、家具２を確実で強固な形で壁面１に固着することができて巨大な震災にも家具の転倒を防止することができるものである。
また、略Ｔ形の取付金具５の中間部分から延びる取付片５ｃに設けた長孔５ｄより、レ−ル４に取着する前記取付片５ｃのボルト６とナット７止め位置により、家具２の壁面１からの配設位置を所定範囲で可変させることができ、和室等の壁面１から突出した巾木１４が設けられているときや、家具２によって底面に幅広突出部１５が設けられていたとしても、この長孔５ｄ寸法によってボルト６とナット７による取付片５ｃの家具２取付位置を可変させることができるため、殆どの部屋や家具２の形種類に自在に対応することができ、当該家具用転倒防止装置の使い勝手を高めることができる。
さらに、前記レール４の両端部に略Ｌ形をした端面目隠し用の終端片９を設けることにより、レール端部の美観向上を図ることができるものである。又この終端片９を設けることによりレール４を家具２に上面方向からのネジ１０止めのみでなく略Ｌ形をした終端片９の上面及び側面から家具２にネジ１０止めさせ、さらに前述のボルト６とナット７により締結させる事によりさらに強固にレール４を家具２に固着させる事が出来る。
さらに、フローリング１６上の壁面１に置かれた家具２の壁面１側底部の角に略Ｌ字型のコーナーＬ金具１２を上面からフローリング１６にネジ１０止め設置し、家具２を設置後家具２の側面底部と背面底部の芯材３にネジ１０止めしたり、又畳１７の部屋に置かれた家具２の壁面側底部角に特殊二段コーナー金具１３を配置し畳を入れる前に上面から床にネジ止めし畳１７を入れ家具２を配置した後家具２の側面底部と背面底部の芯材３にネジ１０止め固着する等フローリング１６や畳１７に置かれた家具２の下部をインテリア性に優れた金具類を使用して家具２を床に固着する等家具の下部を固着するのと上部を壁面に固着する等上下両方を壁面１や床面に固着するとさらに家具類の大地震時の転倒防止が図れる。
【符号の説明】
【０００９】１  壁面
２  家具
３  芯材
４  レール
４ａ  開口溝
５  取付金具
５ａ  端片
５ｂ  端片
５ｃ  取付片
５ｄ  長孔
６  ボルト
７  ナット
９  終端片
１０  ネジ
【図１】
0003183317.tif 000003
【図２（ａ）】
0003183317.tif 000004
【図２（ｂ）】
0003183317.tif 000005
【図３】
0003183317.tif 000006
【図４】
0003183317.tif 000007
【図５】
0003183317.tif 000008